(57)【特許請求の範囲】
【請求項１】
複数同一サイズの原稿画像を連続的に読み取って、該読み取りにより得られた画像データに基づいて画像を記録するフルカラー画像記録装置において、
原稿画像を読み取る読み取り手段と、
形成可能な像の最大サイズに相当する画像データを格納する容量を有し、前記読み取り手段によって読み取った画像データを格納する記憶手段と、
前記原稿画像のサイズを示すサイズデータを発生するサイズデータ発生手段と、
前記サイズデータが前記最大サイズの半分以下の小さい所定のサイズの場合、前記記憶手段を２Ｎ個（Ｎは自然数）で、且つ夫々が前記所定サイズに相当する容量以上の領域に分割し、分割された前記２Ｎ個の領域に順次、別々の原稿画像に対応した画像データを書き込む書き込み手段と、
前記記憶手段の前記分割された領域から順次、前記画像データを読み出して各々別々の記録媒体に画像を形成する、複数の色成分各々に対応した複数の画像形成手段と、
前記複数の画像形成手段の最初の画像形成手段よりも上流側の所定位置に設けられ、搬送された記録媒体の先端を検知するセンサからの検知信号を、画像形成開始のために前記読み取り手段から画像データを送る際の同期信号として用いる同期信号発生手段とを有し、
前記複数の画像形成手段各々を記録媒体が順次通過することによりフルカラー画像が形成され、
前記センサが記録媒体の先端を検知する位置から前記複数の画像形成手段の最後の画像形成手段までの距離を記録媒体が搬送されるのに要する時間が、１枚目の原稿を読み取って得られた画像データを前記記憶手段に書き込みを開始してから書き込み終了までに要する時間と前記１枚目の原稿の読み取り終了から２枚目の原稿の読み取り開始までに要する時間との和の時間の２Ｎ倍以下になるように、前記１枚目の原稿の読み取り終了から前記２枚目の原稿の読み取り開始までに要する時間が設定されることを特徴とする画像記録装置。
【発明の詳細な説明】
【０００１】
【産業上の利用分野】
本発明は画像記録装置に関し、特に、ページメモリを有する画像記録装置の画像記録速度を向上させる画像記録装置に関する。
【０００２】
【従来の技術】
従来、ページメモリを有し、ページメモリに読み取った画像情報に基づいてレーザビームにより感光ドラム上に潜像を形成して記録紙に画像記録を行う画像記録装置では、メモリの書込み先頭アドレスは決まっており、最大原稿サイズの半分以下の小さい原稿がＡＤＦ（Ａｕｔｏｍａｔｉｃ  Ｄｏｃｕｍｅｎｔ  Ｆｅｅｄｅｒ：自動原稿送り装置）などにより連続して読込まれてもメモリの同一のアドレスに画像データが入出力されていた。
【０００３】
【発明が解決しようとする課題】
しかしながら、上記従来例では、メモリサイズの半分以下の画像原稿を連続して読み書きする場合には、最後の画像出力がメモリからの読出しを開始するまで（画像を消去する恐れがあるので）、次の画像原稿のメモリへの書込みができなかった。そのために、ある程度の時間待ちが発生し、その間にも出力中の記録紙は搬送されるので、次の画像原稿を記録するための記録紙をフィードするまでに２つの記録紙間が広がっていた。これは、特に、ＡＤＦ（Ａｕｔｏｍａｔｉｃ  Ｄｏｃｕｍｅｎｔ  Ｆｅｅｄｅｒ：自動原稿送り装置）などを用いて連続的に画像原稿を読み取って画像を形成する場合、処理速度が遅さとなって表われていた。
【０００４】
これを具体的に説明するために、自動原稿送り装置（ＡＤＦ）が装備されたカラーコピー装置のリーダ部とプリンタ部が動作する場合で、例えば、画像メモリ部がＡ３フルページに相当する画像データを格納できる容量のメモリを有しており、Ａ４用紙をＡＤＦを使って高速で連続使用する場合を考える。また、このようなカラーコピー装置はマゼンタ（Ｍ）、シアン（Ｃ）、イエロー（Ｙ）、及び、ブラツク（Ｋ）の各色成分に対応する画像形成部と感光ドラムを有しており、記録用紙は内蔵するレーザプリンタのレーザ光の副走査方向に搬送されるものとする。
【０００５】
この場合、図１２に示すような副走査イネーブルのタイミングチヤートが描ける。即ち、１枚の画像イメージをメモリに対して書き込み副走査イネーブル信号ＷＰＥがオンとなったタイミングで書き込み、プリンタ部のＭ，Ｃ，Ｙ，Ｋそれぞれの画像形成部の部分をプリント用紙が通過し、Ｍ，Ｃ，Ｙ，Ｋの各色に対応して、それぞれマゼンタ成分読出し副走査イネーブル信号ＭＰＥ、シアン成分読出し副走査イネーブル信号ＣＰＥ、イエロー成分読出し副走査イネーブル信号ＹＰＥ、ブラック成分読出し副走査イネーブル信号ＫＰＥがオンとなったタイミングでメモリから画像データが読出される。続いて、２枚目、３枚目と同様のシーケンスで繰返される。
図４において、ｄ１はプリント用紙の先端を検知しリーダ部からプリンタ部にビデオ信号を送る際の副走査同期信号を発信する紙先端センサからマゼンタ（Ｍ）の画像形成部の感光ドラムの中心までの距離、ｄ２、ｄ３、及び、ｄ４はそれぞれ、マゼンタ（Ｍ）に対する感光ドラムとシアン（Ｃ）に対する感光ドラムとの距離、シアン（Ｃ）に対する感光ドラムとイエロー（Ｙ）に対する感光ドラムとの距離、イエロー（Ｙ）に対する感光ドラムとブラツク（Ｋ）に対する距離を示す。
また、図１２におけるｔｄ１、ｔｄ２、ｔｄ３、ｔｄ４はそれぞれ図４のプリンタ部を用紙が等速（Ｖｏ）で搬送される場合に、ｄ１、ｄ２、ｄ３、及び、ｄ４の区間を通過するのに要する時間である。
【０００６】
ところが、画像データをメモリに書き込む際に、常にメモリ内の同じアドレスから書き込むようにすると、図１２に示すように２枚目の原稿読み取り開始のタイミングは、Ｋ（黒）色成分の出力を開始した後でなくてはならない。即ち、１枚目の原稿読み取り終了から２枚目の原稿読み取り開始までの時間ｔｌ2（但し、それに相当する距離をｌ2とする）をあける必要がある。画像データのメモリへの書き込み完了までの時間に用紙が搬送される距離をｌ1とし、それに要する時間をｔｌ1とすると、常に以下の関係、
ｌ1＋ｌ2＝ｄ1＋ｄ2＋ｄ3＋ｄ4＋ｄ5，ｄ5≧０  ……  （１）
即ち、ｔｌ1＋ｔｌ2≧ｔｄ1＋ｔｄ2＋ｔｄ3＋ｔｄ4
を満足する必要がある。従つて、ドラム間距離（ｄ2、ｄ3、ｄ4）によつてコピースピードが制限されてしまう。それ故に、ＡＤＦを用いて連続コピーを行う場合で、ドラム間距離（ｄ2、ｄ3、ｄ4）による制限のため、たとえ画像メモリ容量に余裕があってもコピースピード増加が妨げられるという問題があった。
本発明は上記従来例に鑑みてなされたもので、画像記録速度を向上させる画像記録装置を提供することを目的としている。
【０００７】
【課題を解決するための手段】
上記目的を達成するために本発明の画像記録装置は以下の様な構成からなる。
即ち、複数同一サイズの原稿を連続的に読み取って、該読み取りにより得られた画像データに基づいて画像を記録するフルカラー画像記録装置において、原稿画像を読み取る読み取り手段と、形成可能な像の最大サイズに相当する画像データを格納する容量を有し、前記読み取り手段によって読み取った画像データを格納する記憶手段と、前記原稿画像のサイズを示すサイズデータを発生するサイズデータ発生手段と、前記サイズデータが前記最大サイズの半分以下の小さい所定のサイズの場合、前記記憶手段を２Ｎ個（Ｎは自然数）で、且つ夫々が前記所定サイズに相当する容量以上の領域に分割し、分割された前記２Ｎ個の領域に順次、別々の原稿画像に対応した画像データを書き込む書き込み手段と、前記記憶手段の前記分割された領域から順次、前記画像データを読み出して各々別々の記録媒体に画像を形成する、複数の色成分各々に対応した複数の画像形成手段と、前記複数の画像形成手段の最初の画像形成手段よりも上流側の所定位置に設けられ、搬送された記録媒体の先端を検知するセンサからの検知信号を、画像形成開始のために前記読み取り手段から画像データを送る際の同期信号として用いる同期信号発生手段とを有し、前記複数の画像形成手段各々を記録媒体が順次通過することによりフルカラー画像が形成され、前記センサが記録媒体の先端を検知する位置から前記複数の画像形成手段の最後の画像形成手段までの距離を記録媒体が搬送されるのに要する時間が、１枚目の原稿を読み取って得られた画像データを前記記憶手段に書き込みを開始してから書き込み終了までに要する時間と前記１枚目の原稿の読み取り終了から２枚目の原稿の読み取り開始までに要する時間との和の時間の２Ｎ倍以下になるように、前記１枚目の原稿の読み取り終了から前記２枚目の原稿の読み取り開始までに要する時間が設定されることを特徴とする画像記録装置を備える。
【００１０】
【実施例】
以下添付図面を参照して本発明の好適な実施例を詳細に説明する。
【００１１】
図４は本発明の代表的な実施例である原稿を読取り記録紙に記録するカラー画像記録装置の構成を示すブロック図である。図４において、カラー画像記録装置は原稿読取部（以下、リーダ部という）１０１と、ＡＤＦ（Ａｕｔｏｍａｔｉｃ  ＤｏｃｕｍｅｎｔＦｅｅｄｅｒ：自動原稿送り装置）部１０２、プリンタ部１０３とで構成される。
【００１２】
＜リーダ部構成＞
図４において、リーダ部１０１には原稿の複写を指示するコピースタートキー１１０２、原稿サイズを指定するキー１１０３、１１０４があり、各々Ａ３サイズ、Ａ４サイズを指定する。これらキーの信号は後述するＩ／Ｏ部３２を介してＣＰＵ３１に入力される。
【００１３】
図１は、リーダ部１０１の制御部の構成を示すブロック図である。
図１において、原稿画像は、ＲＧＢ３色のフイルタを設けたＣＣＤ１５１により読み取られ、Ａ／Ｄ＆Ｓ／Ｈ部１５２で画像データを各色成分が８ビットで構成されるデジタルデータに変換し、シエーデイング補正部１５３と入力マスキング部１５４により画像データを補正する。変倍機能時には変倍処理部１５５で変倍処理を行う。次に、３つの色成分（ＲＧＢ）をもつ画像データを圧伸部１５６で一度格納し、マスキング・ＵＣＲ部１６０にてマスキング処理を行う。更に、γ補正１６１とエツジ強調１６２によりＹＭＣＫの出力画像データを作り、ビデオ処理部１６３を通してプリンタ１０３で記録紙に画像を記録する。ビデオ処理部１６３ではリーダ部１０１を介して送られてきたＹＭＣＫのビデオ信号を処理し、ＰＷＭ変調されたレーザ光信号を生成する。
【００１４】
＜プリンタ構成＞
プリンタ部１０３には、図４に示すようにビデオ処理部１６３において生成されたレーザ光を感光ドラム上に走査されるポリゴンスキヤナ３０１、初段のマゼンタ（Ｍ）の画像形成部３０２、同様の構成でシアン（Ｃ）、イエロー（Ｙ）、ブラツク（Ｋ）の各色についての画像形成部３０３、３０４、及び、３０５がある。
【００１５】
画像形成部３０２において、３１８はレーザ光の露光により潜像を形成する感光ドラムであり、３１３はドラム３１８上にトナー現像を行う現像器であり、現像器３１３内の３１４は現像バイアスを印加し、トナー現像の行うスリーブであり、３１５は感光ドラム３１８を所望の電位に帯電させる１次帯電器であり、３１７は転写後のドラム３１８の表面を清掃するクリーナであり、３１６はクリーナ３１７で清掃されたドラム３１８の表面を除電し、１次帯電器３１５において良好な帯電を得られるようにする補助帯電器であり、３３０はドラム３１８上の残留電荷を消去する前露光ランプであり、３１９は転写ベルト３０６の背面から放電を行ない、ドラム３１８上のトナー画像を転写部材に転写する転写帯電器である。
【００１６】
３０９，３１０は、各々サイズの異なる転写部材、例えば、Ａ３サイズ、Ａ４サイズの紙を収納するカセツトであり、３０８はカセツト３０９，３１０から転写部材を供給する給紙部であり、３１１は給紙部３０８により給紙された転写部材を転写ベルト３０６に吸着させる吸着帯電器であり、３１２は転写ベルト３０６の回転に用いられると同時に吸着帯電器３１１と対になつて転写ベルト３０６に転写部材を吸着帯電させる転写ベルトローラである。
【００１７】
３２４は、転写部材を転写ベルト３０６から分離しやすくするための除電帯電器であり、３２５は転写部材が転写ベルトから分離する際の剥離放電による画像乱れを防止する剥離帯電器であり、３２６，３２７は分離後の転写部材上のトナーの吸着力を補い、画像乱れを防止する定着前帯電器であり、３２２，３２３は転写ベルト３０６を除電し、転写ベルト３０６を静電的に初期化するための転写ベルト除電帯電器であり、３２８は転写ベルト３０６の汚れを除去するベルトクリーナである。
【００１８】
３０７は転写ベルト３０６から分離され、定着前帯電器３２６，３２７で再帯電された転写部上のトナー画像を転写部材上に熱定着させる定着器である。
【００１９】
３２９は給紙部３０８により転写ベルト上に給紙された転写部材の先端を検知する紙先端センサであり、紙先端センサからの検出信号は、プリンタ部からリーダ部に送られ、リーダ部からプリンタ部にビデオ信号を送る際の副走査同期信号として用いられる。
【００２０】
＜リーダ部主要ブロツク構成＞
さて、リーダ部１０１に戻って圧伸部１５６において、変倍処理が施されたＲＧＢ画像データはエンコーダ部１５７によりデータ圧縮される。例えば、図２に示す太枠斜線部の部分について考える。ここでは、矩形の１マスが１画素に相当し、この１画素にはＲＧＢ３色のデータがそれぞれ８ビットずつ存在するものとする。このようなデータを４画素×４ライン、即ち、１６画素分（１６画素×３色×８ビット＝３８４ビット）のデータを１ブロツク（太枠斜線部に対応）として、Ｌ＊  ａ＊  ｂ＊  変換し、この３８４ビットのデータを１／１２に圧縮し、３２ビットデータとする。これを、画像データ（Ａ）２０８としてメモリ部１５８に格納する。これを４色同時処理のためにＹＭＣＫの各色成分に対応するそれぞれのデコーダ部１５９に画像データ（Ｂ）２０９として送り、ＹＭＣＫ各色成分それぞれ２４ビットにデータ伸長する。このとき、メモリ部１５８には読取り原稿あるいは記録紙に応じたメモリ空間を持つており、図３に示すように１つのアドレスカウンタ２０４でアクセス可能な同一アドレス空間上に画像メモリ２０１（３２ビットデータ）と、ビットマップメモリ２０２（１ビット）を持つこととする。本実施例において画像メモリ２０１とビットマップメモリ２０２はＤＲＡＭとして説明するが、それ以外の記憶素子や装置でも構わない。
【００２１】
そして、画像メモリ２０１とビットマップメモリ２０２はアドレスバスが共通であり、アドレスカウンタ２０４は４画素×４ラインを１単位としてメモリ空間上の１アドレスとみなす。そのアドレスに前述の圧縮された３２ビットのデータを、図５の５０１に示すＷＥ（Ｗｒｉｔｅ  Ｅｎａｂｌｅ：書き込み可能）信号がオンとなるタイミングに従って格納し、５０２〜５０５のようにＭＣＹＫ各色成分それぞれのタイミング信号がオンとなるタイミングに従って読出す。
ここで、画像メモリ２０１から画像データを４回読み出すのは、以下の必要性に答えるためである。即ち、ＭＣＹＫの各像形成部では、記録媒体が各感光体を通過するタイミングで画像位置を合せる必要があり、Ｍ，Ｃ，Ｙ，Ｋの各色成分の画像データが所定のタイミングで必要となる。このため、ＭＣＹＫの各像形成部でそれぞれの色成分画像データを得るために、画像メモリ２０１からＭＣＹＫの各色成分をそれぞれを読出し、Ｌ＊ａ＊ｂ＊変換された画像データからＭを、Ｌ＊ａ＊ｂ＊変換された画像データからＹを、Ｌ＊ａ＊ｂ＊変換された画像データからＣを、Ｌ＊ａ＊ｂ＊変換された画像データからＫをそれぞれ生成する。この結果合計４回画像メモリ２０１から画像データを読み出すことになる。
【００２２】
＜回転させた画像イメージの生成＞
上述したように、４画素×４ラインを１単位としてメモリ空間上の１アドレスとみなすメモリアクセス制御に替えて、１単位の画像データ（４画素×４ライン）を図６〜図７に示すように８コのブロツクに時分割し、それぞれのブロツクでメモリへの画像データの書き込みや、各色の読出しタイミングなどをあらかじめ決めておき、それぞれ独立してメモリ空間のアドレスへアクセスする様にしても良い。このように画像データ（４画素×４ライン）を８コのブロツクに時分割し、それぞれのブロツクで独立してメモリ空間のアドレスへアクセスする系を考える。
【００２３】
この系においては、図８に示すように、ラツチ８０〜８７に不図示のＣＰＵから主走査アドレスの初期値をラツチさせる。例えば、順に０００Ｈ，８１０Ｈ，０２０Ｈ，８３０Ｈ，０４０Ｈ，８５０Ｈ，０６０Ｈ，８７０Ｈをラツチさせたとする。ここで、添え字のＨは１６進表記であることを示す。
【００２４】
次に、セレクタ８８で時分割により図６〜図７に示すように各ブロツクごとにラツチさせた初期値を選択していく。また、カウンタ８９は各ラインの先頭の同期信号Ｌｓｙｎｃでカウント値を０００Ｈ  として４画素毎にカウントアツプしていき、アダー９１により２つの値を加減算してＸＡＤＲを出力する。このとき、それぞれの初期値の最上位ビツトをＸＯＦＦ信号とし、これが“０”のとき加算とし、“１”のとき減算とすると、
ブロツクａでは０００Ｈ  ，００１Ｈ  ，００２Ｈ  …とカウントアツプし、
ブロツクｂでは０１０Ｈ  ，００ＦＨ  ，００ＥＨ  …とカウントダウンし、
以下同様にして、
ブロツクｈでは０７０Ｈ  ，０６ＦＨ  ，０６ＥＨ  …とカウントダウンする。
【００２５】
次に、図９でも同様にして、ラツチ９０〜９７にもＣＰＵから副走査方向の初期値をラツチさせ、主走査方向と同様に最上位ビツトをＹＯＦＦ信号として、これが“０”ならばアダー１０８を加算とし、“１”ならば減算させる。次に、カウンタ９９は、電源投入時のＲＳＴ信号と共にクリアされ、電源ＯＦＦまで４ライン毎に１つカウントアツプする。そして、前述の初期値Ｙ０  とカウンタ９９のカウント値Ｃ１  をアダー１００〜１０７により加減算し、その計算値Ｙ０  ±Ｃ１  を図６の副走査方向のイネーブル信号の立上がりの同期信号ＰＳ０〜ＰＳ７でラツチ１１０〜１１７にて、記録紙１枚につき１コずつラツチする。これをセレクタ９８にて、時分割し、計算値Ｙ０  ±Ｃ１  を出力する。
【００２６】
更にアダー１０８にてラツチされた計算値Ｙ０  ±Ｃ１  と４ライン毎にアツプするカウンタ値Ｃ２  とを加減算し、ＹＡＤＲ＝Ｙ０  ±Ｃ１  ±Ｃ２  となる。即ち、ＹＯＦＦ＝“０”のときは、ＹＡＤＲ＝Ｙ０  ＋（Ｃ２  −Ｃ１  ）、ＹＯＦＦ＝“１”のときはＹ０  −（Ｃ２  −Ｃ１  ）となり、初期値Ｙ０  と実際のカウント値（Ｃ２  −Ｃ１  ）とを加減算した値がＹＡＤＲより出力される。
【００２７】
このようにしてＸＡＤＲとＹＡＤＲを生成することができる。そして、図１０の構成を備えることにより、ＣＰＵから図７に示すブロツクａ〜ｈの各々のブロックごとにＸＡＤＲとＹＡＤＲを入れ替える信号ＸＹＣＨＧ（“０”のときはＸＡＤＲとＹＡＤＲをそのままにして出力し、“１”のときはＸＡＤＲとＹＡＤＲを入れ替える）をラツチ４１にＣＰＵからあらかじめ入力しておくことにより、各ブロツクごとにセレクタ４３、４４により選択して、Ｄフリツプフロツプ４５、４６を経て、主走査方向アドレスとしてＸＭＡを副走査方向アドレスとしてＹＭＡを出力することが可能となる。
【００２８】
また、前述のＸＹＣＨＧ信号、ＸＯＦＦ信号、ＹＯＦＦ信号の３つの信号をＤフリツプフロツプ４７〜４９のＤ入力端子に入力することにより、ＸＭＡ、ＹＭＡと同期して、信号ＲＯＴ＜０＞，ＲＯＴ＜１＞，ＲＯＴ＜２＞を得ることが可能となる。
【００２９】
そして、この３ビツトのＲＯＴ信号により、図１１（ａ）〜（ｈ）に示すような任意の方向に回転させた画像を得ることができる。
【００３０】
＜メモリ部の分割使用＞
次に、自動原稿送り装置（ＡＤＦ）１０２が装備されて、このリーダ部１０１とプリンタ部１０３を動作させるとき、例えば、メモリ部１５８がＡ３フルページに相当する画像データを格納できるメモリであり、Ａ４用紙をＡＤＦ１０２を使って高速で連続使用する場合について考える。
【００３１】
本実施例では、ＡＤＦ１０２により原稿サイズがＡ４であることを検知するならば、図１４に示すように自動的にフルページＡ３に相当する容量があるメモリ部１５８をフルページメモリ（Ａ３分）を２分割して、それぞれをＡ面，Ｂ面とする。そして、奇数枚目の原稿はＡ面に、偶数枚目の原稿はＢ面に入出力する。このようにすれば、タイミングチヤートは図１２から図１３のようになり、ｌ２  を小さくとることができる。即ち、メモリ部１５８を２分割するゆえに、（１）式は、
２（ｌ１  ＋ｌ２  ）＝ｄ１  ＋ｄ２  ＋ｄ３  ＋ｄ４  ＋ｄ５  ，ｄ５  ≧０  ……（３）
となり、
ｌ２    ≧  （ｄ１  ＋ｄ２  ＋ｄ３  ＋ｄ４  ）／２  −  ｌ１          ……（４）
の条件を満たせばよく、紙間の制限はかなり小さくなる。
【００３２】
しかしながら、Ａ面に画像データを格納するときと、Ｂ面に画像データを格納するときとでは、副走査方向アドレスのオフセツト値をそれぞれのタイミングで変更しなくてはならない。それで本実施例においては、図１５のようにＣＰＵ３１で、Ｉ／Ｏ部３２を通して５つの副走査イネーブル信号（ＷＰＥ，ＭＰＥ，ＣＰＥ，ＹＰＥ，ＫＰＥ）をモニタし、副走査イネーブルの立上りでラツチ９０〜９７にラツチさせ、すぐさまラツチ１１０〜１１７にラツチさせる。このようにすれば、ＣＰＵ３１は次の副走査イネーブルの立上りまでの間にＡ面の場合は次のＢ面の先頭アドレスをセツトし、Ｂ面の場合は次のＡ面の先頭アドレスをラツチ９０〜９７にセツトすればよいため、ＣＰＵ３１の処理はかなり余裕をもって実行することができる。
【００３３】
従って本実施例に従えば、Ａ３サイズに相当する画像データを格納するメモリがあり、Ａ４サイズ以下の画像原稿複数枚を連続的に読み取って画像形成してプリント出力する場合に、画像原稿サイズを検知してメモリを分割して使用し画像データを収容するようにできるので、画像原稿間の待ち時間が短くなり、高速かつ連続に画像プリント出力を行うことができる。
【００３４】
なお、本実施例においてはメモリ部１５８を２分割した場合について説明したが本発明はこれに限定されるものではない。例えば、図１６に示すようにメモリを葉書サイズ４枚分に分割し、分割したメモリそれぞれからの画像データ出力を順次同様にして記録紙に転写すれば、記録紙の紙間は更に縮まり、更に高速化が実現できる。なお、図１６において、４０１〜４０４はＹＭＣＫ各色に対応する感光ドラムである。
【００３５】
また、Ａ４のページ連写（例えば、Ａ３の画像原稿を読み取って、左右に分割し、それぞれをＡ４サイズのプリント用紙に出力すること）をする場合、従来は２回スキヤンして画像原稿読み取りを行っていたが、本発明に従って、図１７に示すタイミングで１回のスキヤンでＡ３分の画像原稿を読み込み（例えば、Ａ３原稿の左側半分をＡ面に、右側半分をＢ面に）、出力すれば、ページ連写時も高速化が図られることになる。
【００３６】
本実施例においてはＡＤＦ１０２によって原稿サイズを検出したが、本発明はこれに限定されるものではなく、リーダ部１０１のキー１１０３、１１０４によって指定される原稿サイズ情報であっても良い。また、本実施例ではプリンタとして図４に示したものを挙げたが、本発明はかかるプリンタに限定されるものではなく、他のプリンタ、例えば、サーマルプリンタ、インクジェットプリンタであっても同様に適用することができる。
【００３７】
尚、本発明は、複数の機器から構成されるシステムに適用しても、１つの機器から成る装置に適用しても良い。また、本発明はシステム或は装置にプログラムを供給することによつて達成される場合にも適用できることは言うまでもない。
【００３８】
【発明の効果】
以上説明したように本発明によれば、先行する記録媒体と後続する記録媒体との間隔が大きくなることなく、連続的に高速に画像形成して出力できる効果がある。この効果は、例えば、ＡＤＦ（Automatic Document Feeder:自動原稿送り装置）などを利用した連続読込み、連続出力を行う場合に顕著である。
【図面の簡単な説明】
【図１】カラー画像記録装置のリーダ部の構成を示すブロック図である。
【図２】圧縮する画像データの４画素×４ラインを表わす模式図である。
【図３】メモリ部のアクセスを表すブロツク図である。
【図４】本発明の代表的な実施例であるカラー画像記録装置の構成を示すブロック図である。
【図５】副走査イネーブル信号タイミングチヤートである。
【図６】
【図７】メモリ部のアクセスの時分割処理を表す図である。
【図８】主走査方向アドレスカウンタ回路図である。
【図９】副走査方向アドレスカウンタ回路図である。
【図１０】主副アドレスカウンタ出力とＲＯＴ信号の回路構成を示すブロック図である。
【図１１】ＲＯＴ信号の違いによる出力画像例を示す図である。
【図１２】従来の画像記録装置に従う連続的に画像データのメモリ入出力がある場合の副走査方向のイネーブル信号のタイミングチヤートである。
【図１３】連続的に画像データのメモリ入出力がある場合の副走査方向のイネーブル信号のタイミングチヤートである。
【図１４】画像メモリの分割を示す図である。
【図１５】副走査方向のイネーブル信号の状態検知回路を示すブロック図である。
【図１６】画像メモリを４分割した場合の画像メモリからデータ出力と記録紙の搬送状態の関係を示す図である。
【図１７】ページ連写ある場合の副走査方向のイネーブル信号のタイミングチヤートである。
【符号の説明】
３１  ＣＰＵ
３２  Ｉ／Ｏポート
４１、８０〜８７、９０〜９７、１１０〜１０７  ラツチ
４２〜４４、８８、９８  セレクタ
４５〜４９  Ｄフリツプフロツプ
８９、９９  カウンタ
９１、１００〜１０８  アダー
１０１  リーダ部
１０２  ＡＤＦ（Ａｕｔｏｍａｔｉｃ  Ｄｏｃｕｍｅｎｔ  Ｆｅｅｄｅｒ：自動原稿送り装置）部
１０３  プリンタ部
１５６  圧伸部
１５７  エンコーダ部
１５８  メモリ部
１５９  デコーダ部
２０１  画像メモリ
２０２  ビットマップメモリ
２０３  画像編集部
２０４  アドレスカウンタ
２０６〜２０７  ＲＡＳ／ＣＡＳ／ＷＥ発生部
２０８  画像データ（Ａ）
２０９  画像データ（Ｂ）
２１０  ＣＰＵによる設定データ
【図１】
0003553979.tif 000002
【図２】
0003553979.tif 000003
【図３】
0003553979.tif 000004
【図４】
0003553979.tif 000005
【図５】
0003553979.tif 000006
【図６】
0003553979.tif 000007
【図７】
0003553979.tif 000008
【図８】
0003553979.tif 000009
【図９Ａ】
0003553979.tif 000010
【図９Ｂ】
0003553979.tif 000011
【図１０】
0003553979.tif 000012
【図１１】
0003553979.tif 000013
【図１２】
0003553979.tif 000014
【図１３】
0003553979.tif 000015
【図１４】
0003553979.tif 000016
【図１５】
0003553979.tif 000017
【図１６】
0003553979.tif 000018
【図１７】
0003553979.tif 000019